(57)【特許請求の範囲】
【請求項１】
衣服を吊るすための衣服用ハンガーであって、
本体部と、前記本体部に固定されるフック部と、前記本体部に接続される封止部と、を有し、
前記本体部は、
プラスチック樹脂によって合わせ目を有さない単一の部材として、かつ、下方に開口した空間を有する構造に形成され、
前記フック部が固定される位置を含む中心領域と、前記中心領域に対して対称に形成される一対の側方領域を有し、
前記封止部は、
その外形が前記本体部の下端部と相似形状に形成されており、
前記本体部の下端部に接続されて、前記空間を封止するように構成されており、
前記本体部の前記下端部は、正面視において、所定の曲率半径を有する湾曲部として形成されており、
前記封止部は、正面視において、前記下端部の前記湾曲部に対応する曲率半径を有する対応湾曲部として形成されており、
前記封止部は、
前記本体部の前記下端部と接する張り出し部と、
平面視において、前記張り出し部の内側において前記張り出し部と相似形状に形成され、前記本体部の内側面と接する壁部と、を有し、
前記張り出し部は、前記本体部の前記下端部と超音波溶着によって固定され、
前記壁部の外面は、前記本体部の内側の側面と超音波溶着によって固定され、
前記封止部が前記本体部に接続された状態において、前記封止部の外面には前記封止部以外の構成は存在しない、
衣服用ハンガー。
【請求項２】
前記中心領域に対応する前記湾曲部は、上方に凸に湾曲して形成されており、
前記側方領域に対応する前記湾曲部は、下方に凸に湾曲して形成されており、
前記本体部の外形は、平面視において、所定の曲率半径を有する第二湾曲部として形成されており、
前記封止部は、平面視において、前記本体部の前記第二湾曲部に対応する曲率半径を有する第二対応湾曲部として形成されており、
前記中心領域に対応する前記第二湾曲部は、前方に凸に湾曲、または、平坦に形成されている、
請求項１に記載の衣服用ハンガー。
【請求項３】
前記中心領域に対応する前記湾曲部の前記曲率半径は、前記側方領域に対応する前記湾曲部の前記曲率半径よりも小さく構成されている、
請求項１または請求項２に記載の衣服用ハンガー。
【請求項４】
前記本体部の前記内側面には、少なくとも１つの梁部が形成されており、
前記梁部は、前記壁部と干渉しない形状に形成されている、
請求項１乃至請求項３のいずれかに記載の衣服用ハンガー。
【発明の詳細な説明】
【技術分野】
【０００１】
本発明は、衣服用ハンガーに関する。
【背景技術】
【０００２】
従来、百貨店などで使用される高級なハンガーは木製であるが、安価なハンガーとして、樹脂製のハンガーが使用されている（例えば、特許文献１）。
【先行技術文献】
【特許文献】
【０００３】
【特許文献１】特開２０１５−１３６６１６号公報
【発明の概要】
【発明が解決しようとする課題】
【０００４】
衣服用のハンガーの基本的な機能は、衣服のしわや型崩れを防ぎつつ、視認容易な態様で保管することであるが、衣服を展示販売するブティックや百貨店など（以下、「店舗」という。）においては、衣服をハンガーに吊るしたときの全体としての外観が、買い物客を惹きつけ、販売に影響を与える重要な要素である。また、店舗の店員が、衣服の特徴を効果的に説明するためには、衣服がハンガーに吊るされた状態において、様々な保持態様において保持する必要がある。例えば、軽さが特徴である衣服を説明するためには、ハンガーを指先で保持することが効果的である。【０００５】
一般的に、衣服用のハンガーとして、一塊の木材からハンガー全体を削り出して製造する、いわゆる「一本物」が最も高級であるとされている。ところが、「一本物」は、材料を効率的に使用することができず、また、極めて高価である。さらに、「一本物」は、上述の樹脂製のハンガーに比べて重量が重く、例えば、ハンガーを指先で保持することは困難な場合があるなど、保持態様の自由度が低い。【０００６】
これに対して、上述の樹脂製のハンガーは、相応の解決策を示している。例えば、図１５に示す従来の樹脂製のハンガー１００は、フック部１１０と本体部１２０から構成される。本体部１２０は、樹脂を材料として、射出成型やブロー成型などの成型方法によって形成されている。ここで、本体部１２０の下方は開放されており、本体部１２０の内側は開放空間Ｓ１００となっているから、上述の「一本物」の木製のハンガーに比べて、重量が軽い。なお、本体部１２０の内面に梁（図示せず）を設けることで、本体部１２０の強度を確保する場合もある。【０００７】
ハンガー１００を店舗の店員が片手で保持するときには、図１６に示すように、本体部１２０の一方の下端部１２０ａ（図では手前）と他方の下端部１２０ｂ（図では奥側）の双方に手５０を当接させる必要がある。仮に、手５０を前方の端部である下端部１２０ａだけに当接させて保持しようとすると、バンランスを失い、安定して保持することができない。すなわち、衣服をハンガー１００に吊るした状態で保持するための保持態様の自由度が低い。【０００８】
また、図１７（ａ）に示すように、本体部１２０に矢印Ｘ１及びＸ２に示す側方から外力が作用すると、変形し、図１７（ｂ）に示すように、当初の幅Ｗ１０１が幅Ｗ１０２に縮小する問題（以下、「変形問題」という。）がある。本体部１２０の内面に梁を形成することで、ある程度は、変形問題は解消できるのであるが、十分に変形問題を解消できるわけではない。【０００９】
本発明はかかる問題の解決を試みたものであり、木製のハンガーよりも安価であり、かつ、木製のハンガーに劣らない高級感を有し、さらに、外力による変形を十分に防止し、さらに、保持態様の自由度が大きい衣服用ハンガーを提供することを目的とする。
【課題を解決するための手段】
【００１０】
第一の発明は、衣服を吊るすための衣服用ハンガーであって、本体部と、前記本体部に固定されるフック部と、前記本体部に接続される封止部と、を有し、前記本体部は、プラスチック樹脂によって合わせ目を有さない単一の部材として、かつ、下方に開口した空間を有する構造に形成され、前記フック部が固定される位置を含む中心領域と、前記中心領域に対して対称に形成される一対の側方領域を有し、前記封止部は、その外形が前記本体部の下端部と相似形状に形成されており、前記本体部の下端部に接続されて、前記空間を封止するように構成されている、衣服用ハンガーである。【００１１】
第一の発明の構成によれば、本体部は下方に開口した空間を有し、本体部の内側には樹脂材料が存在しないから、そのような空間を有さない場合に比べて、軽量に構成することができる。そして、本体部の下方は、封止部によって封止される。このため、その外観は、木製のハンガーに劣らない。また、封止部が本体部の構造に強度を与えるから、本体部が外力を受けても変形を十分に防止することができる。さらに、使用者は、例えば、衣服を吊るした衣服用ハンガーを保持するときに、封止部に指を当接させて衣服用ハンガーを保持することができるから、保持態様の自由度が大きい。【００１２】
第二の発明は、第一の発明の構成において、前記本体部の前記下端部は、正面視において、所定の曲率半径を有する湾曲部として形成されており、前記封止部は、正面視において、前記下端部の前記湾曲部に対応する曲率半径を有する対応湾曲部として形成されている、衣服用ハンガーである。【００１３】
第二の発明の構成によれば、封止部は本体部の湾曲部に対応する対応湾曲部として形成されているから、本体部の構造に一層大きな強度を与えることができる。【００１４】
第三の発明は、第二の発明の構成において、前記中心領域に対応する前記湾曲部は、上方に凸に湾曲して形成されており、前記側方領域に対応する前記湾曲部は、下方に凸に湾曲して形成されている、衣服用ハンガーである。【００１５】
第三の発明の構成によれば、本体部の下端部は、凸形状の方向が中心領域と側方領域とで異なり、封止部の対応湾曲部も凸形状の方向が中心領域と側方領域とで異なる。封止部が、湾曲する方向が異なる部分を有することによって、単一の方向に湾曲している場合よりも、上方からの外力に対する耐性が大きい構造とすることができる。【００１６】
第四の発明は、第三の発明の構成において、前記中心領域に対応する前記湾曲部の前記曲率半径は、前記側方領域に対応する前記湾曲部の前記曲率半径よりも小さく構成されている、衣服用ハンガーである。【００１７】
第四の発明の構成によれば、中心領域が上方からの外力に対抗する主な領域であるから、側方領域の曲率半径は、例えば、吊るす衣服の重量などによって規定するなど、自由度が大きい。【００１８】
第五の発明は、第一の発明乃至第四の発明のいずれかの構成において、前記本体部の外形は、平面視において、所定の曲率半径を有する第二湾曲部として形成されており、前記封止部は、平面視において、前記本体部の前記第二湾曲部に対応する曲率半径を有する第二対応湾曲部として形成されている、衣服用ハンガーである。【００１９】
第五の発明の構成によれば、平面視において、封止部は、本体部の第二湾曲部に対応する第二対応湾曲部として構成されているから、水平方向からの外力に対する耐性が大きい。【００２０】
第六の発明は、第五の発明の構成において、前記中心領域に対応する前記第二湾曲部は、前方に凸に湾曲、または、平坦に形成されており、前記側方領域に対応する前記第二湾曲部は、後方に凸に湾曲して形成されている、衣服用ハンガーである。【００２１】
第六の発明の構成によれば、本体部及び封止部は、単一の方向に湾曲している場合よりも、水平方向からの外力に対する耐性が大きい構造を有することができる。【００２２】
第七の発明は、第一の発明乃至第六の発明のいずれかの構成において、前記封止部は、前記本体部の前記下端部と接する張り出し部と、平面視において、前記張り出し部の内側において前記張り出し部と相似形状に形成され、前記本体部の内側面と接する壁部と、を有する、衣服用ハンガーである。【００２３】
第七の発明の構成によれば、張り出し部が本体部の下端部と接し、壁部が本体部の内側面と接する。壁部が本体部の内側面と接することによって、本体部の形状が確実に維持される。【００２４】
第八の発明は、第七の発明の構成において、前記本体部の前記内側面には、少なくとも１つの梁部が形成されており、前記梁部は、前記壁部と干渉しない形状に形成されている、衣服用ハンガーである。【００２５】
第八の発明の構成によれば、本体部の内側面には梁部が形成されており、本体部の形状を維持することができ、さらに、梁部は壁部と干渉しない長さに形成されているから、梁部と壁部の双方によって、本体部の形状が維持される。
【発明の効果】
【００２６】
本発明によれば、木製のハンガーよりも安価であり、かつ、木製のハンガーに劣らない高級感を有し、さらに、外力による変形を十分に防止し、さらに、保持態様の自由度が大きい衣服用ハンガーを提供することができる。
【図面の簡単な説明】
【００２７】
【図１】本発明の実施形態に係る衣服用ハンガーの概略正面図である。
【図２】本体部の概略正面図である。
【図３】衣服用ハンガーの概略平面図である。
【図４】衣服用ハンガーの概略底面図である。
【図５】本体部の概略底面図である。
【図６】本体部の概略底面図である。
【図７】本体部における梁部の長さを示すための概念図である。
【図８】本体部の一部を下方から視た概略拡大図である。
【図９】封止部を示す概略正面図である。
【図１０】封止部を示す概略平面図である。
【図１１】封止部の一部を拡大して示す概略斜視図である。
【図１２】衣服用ハンガーの内部構造を示す概略正面図である。
【図１３】衣服用ハンガーの保持態様の一例を示す概略図である。
【図１４】図３のＡＡ線概略断面図であり、外力に対する耐性を示す概念図である。
【図１５】従来の衣服用ハンガーの一例を示す概略斜視図である。
【図１６】従来の衣服用ハンガーの保持態様の一例を示す概略図である。
【図１７】図１５のＢＢ線概略断面図であり、外力の作用によって変形する状態を示す概念図である。
【発明を実施するための形態】
【００２８】
以下、本発明を実施するための形態（以下、実施形態）について詳細に説明する。以下の説明においては、同様の構成には同じ符号を付し、その説明を省略又は簡略する。なお、当業者が適宜実施できる構成については説明を省略し、本発明の基本的な構成についてのみ説明する。
【００２９】
図１は衣服用ハンガー１（以下、「ハンガー１」という。）を正面から視た図であり、図３はハンガー１を上方から（図１の矢印Ｚ１に示す方向）から視た図であり、図４はハンガー１を下方から（図１の矢印Ｚ２に示す方向）から視た図である。
【００３０】
ハンガー１は、フック部１０、本体部２０及び封止部３０で構成されている。封止部３０は本体部２０に接続される。本明細書において、上方、下方、前方及び後方というときには、図１を基準とする。具体的には、フック部１０が位置する方向が上方、封止部３０が位置する方向が下方である。また、図１の紙面手前が前方であり、図３における前方端部２０ａの方向に対応する。図１の紙面裏側が後方であり、図３における後方端部２０ｂの方向に対応する。
【００３１】
フック部１０は金属で形成されている。本体部２０及び封止部３０は、プラスチック樹脂で形成されている。プラスチック樹脂は、例えば、射出成型が可能な熱可塑性樹脂であり、例えば、ポリプロピレン（ｐｏｌｙｐｒｏｐｙｌｅｎｅ）である。
【００３２】
図２に示すように、本体部２０は、中心領域Ａ１と、中心領域Ａ１に対して対称に形成される一対の側方領域Ａ２，Ａ２が一体として形成されている。中心領域Ａ１及び一対の側方領域Ａ２，Ａ２は、プラスチック樹脂によって、合わせ目を有さない単一の部材として形成されている。中心領域Ａ１は、フック部１０が固定される位置を含む。
【００３３】
図２に示すように、正面視において、本体部２０の下端部２２は、所定の曲率半径Ｒ１を有する湾曲部として形成されている。中心領域Ａ１に対応する湾曲部は、上方に向かって凸の形状に形成され、曲率半径Ｒ１を有する。側方領域Ａ２に対応する湾曲部は、下方に向かって凸の形状に形成され、所定の曲率半径Ｒ２を有する。曲率半径Ｒ１は、曲率半径Ｒ２よりも小さい。曲率半径Ｒ１は、例えば、７５ミリメートル（ｍｍ）である。曲率半径Ｒ２は、例えば、３００ミリメートル（ｍｍ）である。なお、本実施形態とは異なり、下端部２２は、単一の曲率半径を有する湾曲部として構成してもよく、この場合、封止部３０も下端部２２に対応する単一の曲率半径を有する湾曲部として構成される。
【００３４】
図５は、本体部２０を下方から視た概略図であり、図４の衣服用ハンガー１から封止部３０を除いた状態を示す図でもある。図４及び図５に示すように、封止部３０の外形（図４参照）は、本体部２０の下端部２２（図５参照）の外形と相似形状に形成されている。詳細には、封止部３０の外形は、下端部２２の外形と実質的に同一である。封止部３０は、下端部２２に接続されて、下端部２２を封止するように構成されている。
【００３５】
図５に示すように、本体部２０には、フック部１０を固定するためのフック固定部２４、梁部２６Ａ，２６Ｂ及び２６Ｃが上下方向に延在する部分として形成されている。フック固定部２４はフック部１０を固定するための構成である。梁部２６Ａ，２６Ｂ及び２６Ｃは、本体部２０の機械的強度を確保するための構成である。なお、本実施形態とは異なり、梁部２６Ａ等を形成しない構成としてもよい。
【００３６】
本体部２０は、下方に開口した空間を有する構造に形成されている。具体的には、一対の梁部２６Ａと２６Ａの間は空間Ｓ１、梁部２６Ａと２６Ｂの間は空間Ｓ２、梁部２６Ｂと２６Ｃの間は空間Ｓ３、梁部２６Ｃと下端部２２の左右の端部との間は空間Ｓ４となっている。本体部２０は、空間Ｓ１乃至Ｓ４を形成することによって、空間Ｓ１乃至Ｓ４が存在せずに樹脂が充填されている場合よりも、軽量に形成されている。
【００３７】
図６に示すように、本体部２０の下端部２２は、平面視において、所定の曲率半径を有する湾曲部として形成されている。下端部２２の前方端部２２ａにおいて、中心領域Ａ１に対応する部分は、前方に向かって凸の形状に形成され、所定の曲率半径Ｒ３を有する。側方領域Ａ２に対応する部分の前方端部２２ａは、後方に向かって凸の形状に形成され、所定の曲率半径Ｒ４を有する。曲率半径Ｒ３は、曲率半径Ｒ４よりも大きい。曲率半径Ｒ３は、例えば、５００ミリメートル（ｍｍ）である。曲率半径Ｒ４は、例えば、１５０ミリメートル（ｍｍ）である。後方端部２２ｂについても、中心領域Ａ１に対応する部分は、前方に向かって凸の曲率半径を有し、側方領域Ａ２に対応する部分は、後方に向かって凸の曲率半径を有する。なお、本実施形態とは異なり、中心領域Ａ１に対応する下端部２２の部分は、曲率半径が無限大、つまり、平坦であってもよい。
【００３８】
梁部２６Ａ，２６Ｂ及び２６Ｃの上下方向の長さは、本体部２０の下端部２２には達しない。図７に示すように、例えば、梁部２６Ｃは、本体部２０の内面の上面２０ｃから下方へ向かって、長さｈ１で延在している。そして、梁部２６Ｃの下端部は、下端部２２と長さｈ２だけ乖離している。すなわち、梁部２６Ｃは、下端部２２まで延在していない。梁部２６Ａ及び２６Ｂも、下端部２２と長さｈ２だけ乖離した長さに形成されている。梁部２６Ａ等がこのような形状に形成されていることにより、後述の封止部３０の壁部３４（図１１参照）との干渉を回避している。
【００３９】
図８に示すように、下端部２２は幅ｗ１に構成されている。幅ｗ１は、例えば、２ミリメートル（ｍｍ）である。本体部２０の内側の側面２０ｄにおける側方の端部には、切り欠き部２８が形成されている。切り欠き部２８は、矩形の孔である。
【００４０】
図９及び図１０に示すように、封止部３０には、張り出し部３２と壁部３４が形成されている。張り出し部３２は、封止部３０の最も外側の部分を構成し、周状に形成されている。壁部３４は、張り出し部３２の内側において、張り出し部３２と相似形状に形成されている。
【００４１】
図９に示すように、封止部３０は、正面視において、本体部２０の湾曲部に対応する湾曲形状を有する部分である対応湾曲部として形成されている。張り出し部３２において、中心領域Ａ１に対応する部分は、上方に向かって凸の形状に形成され、曲率半径Ｒ１１を有する。張り出し部３２において、側方領域Ａ２に対応する部分は、下方に向かって凸の形状に形成され、曲率半径Ｒ２１を有する。曲率半径Ｒ１１は、本体部２０の曲率半径Ｒ１に対して、張り出し部３２の上下方向における厚さの分だけ小さい。曲率半径Ｒ２１は、本体部２０の曲率半径Ｒ２に対して、張り出し部３２の厚さの分だけ大きい。張り出し部３２の厚さを例えば、２ミリメートル（ｍｍ）とすれば、曲率半径Ｒ１１は７３ミリメートル（ｍｍ）であり、曲率半径Ｒ２１は３０２ミリメートル（ｍｍ）である。
【００４２】
図１０に示すように、平面視において、封止部３０の前方部３２ａは、本体部２０の湾曲形状に対応する湾曲形状を有する部分である第二対応湾曲部として形成されている。張り出し部３２の前方部３２ａにおいて、中心領域Ａ１に対応する部分は、前方に向かって凸の形状に形成され、曲率半径Ｒ３１を有する。前方部３２ａにおいて、側方領域Ａ２に対応する部分は、後方に向かって凸の形状に形成され、曲率半径Ｒ４１を有する。曲率半径Ｒ３１は、本体部２０の下端部２２の曲率半径Ｒ３と等しい。曲率半径Ｒ４１は、本体部２０の下端部２２の曲率半径Ｒ４と等しい。張り出し部３２の後方部３２ｂは、本体部２０の後方端部２２ｂと等しい曲率半径を有するように形成されている。
【００４３】
図１１に示すように、封止部３０の張り出し部３２は幅ｗ２を有する。幅ｗ２は、本体部２０の下端部２２の幅ｗ１（図８参照）と実質的に等しい。壁部３４は、高さｈ３を有する。高さｈ３は、例えば、３ミリメートル（ｍｍ）である。また、封止部３０の左右の側方の端部には、係合部３６が形成されている。係合部３６の先端に外側向きに突起が形成されており、その突起が本体部２０の切り欠き部２８と係合する。
【００４４】
図１２に示すように、封止部３０が本体部２０に接続されると、張り出し部３２は本体部２０の下端部２２と接した状態となり、例えば、超音波溶着によって固定される。壁部３４の外面３４ａ（図１１参照）は、本体部２０の内側の側面２０ｄ（図８参照）と接した状態となる。壁部３４が側面２０ｄと接することによって、本体部２０の外力に対する耐性を大きくしている。外面３４ａと側面２０ｄも、例えば、超音波溶着によって固定するようにしてもよい。これにより、本体部２０と封止部３０の固定が強固になる。壁部３４が梁部２６Ａ，２６Ｂ及び２６Ｃが干渉しないように、梁部２６Ａ等の長さと壁部３４の高さｈ３が規定されている。
【００４５】
ハンガー１に、矢印Ｚ１ａ及びＺ１ｂ方向に示す上方からの外力が作用すると、中心領域Ａ１においては、封止部３０の中心領域Ａ１の部分の上方に凸の湾曲形状によって外力に対する耐性を有する。そして、側方領域Ａ２においては、封止部３０の側方領域Ａ２の部分の下方に凸の湾曲形状によって外力に対する耐性を有する。本実施形態とは異なり、例えば、封止部３０が上方に凸の湾曲形状のみを有する場合には、本実施形態と比べて、Ｚ１ｂの位置における上方からの外力に対する耐性が弱くなる。
【００４６】
上述のように、封止部３０によって、本体部２０の下方は封止されている。このため、ハンガー１の保持態様の自由度が大きい。例えば、図１３に示すように、手５０の指を封止部３０の中心領域Ａ１において、前後方向における中心位置の近傍に接した状態において、ハンガー１を保持することができる。
【００４７】
また、封止部３０の上述の湾曲形状と、張り出し部３２及び壁部３４によって、本体部２０の機械的強度は増加し、外力に対する耐性が大きくなっている。例えば、図１４（ａ）に示すように、本体部２０に、側方、すなわち、矢印Ｘ１及びＸ２方向から外力が加えられても、封止部３０の存在により、図１４（ｂ）に示すように、幅Ｗ１１は維持され、変形することはない。
【００４８】
なお、本発明は本実施形態に限定されるものではなく、本発明の目的を達成できる範囲での変形、改良等は本発明に含まれるものである。
【符号の説明】
【００４９】
１    衣服用ハンガー
１０    フック部
２０    本体部
２２    下端部
３０    封止部
３２    張り出し部
３４    壁部
【要約】
本発明は、木製のハンガーよりも安価であり、かつ、木製のハンガーに劣らない高級感を有し、さらに、外力による変形を十分に防止し、さらに、保持態様の自由度が大きい衣服用ハンガーを提供することを目的とする。衣服用ハンガー１は、本体部２０と、本体部２０に固定されるフック部１０と、本体部２０に接続される封止部３０とを有し、本体部２０は、プラスチック樹脂によって合わせ目を有さない単一の部材として、かつ、下方に開口した空間を有し、フック部１０が固定される位置を含む中心領域Ａ１と、中心領域Ａ１に対して対称に形成される一対の側方領域Ａ２を有し、封止部３０は、その外形が本体部２０の下端部２２と相似形状に形成されており、本体部２０の下端部２２に接続されて、空間を封止するように構成されている。【図１】
0006694198.tif 000002
【図２】
0006694198.tif 000003
【図３】
0006694198.tif 000004
【図４】
0006694198.tif 000005
【図５】
0006694198.tif 000006
【図６】
0006694198.tif 000007
【図７】
0006694198.tif 000008
【図８】
0006694198.tif 000009
【図９】
0006694198.tif 000010
【図１０】
0006694198.tif 000011
【図１１】
0006694198.tif 000012
【図１２】
0006694198.tif 000013
【図１３】
0006694198.tif 000014
【図１４】
0006694198.tif 000015
【図１５】
0006694198.tif 000016
【図１６】
0006694198.tif 000017
【図１７】
0006694198.tif 000018